(57)【要約】【課題】本発明は、ステレオ性能が向上したマルチウェイイヤホンを提供する。【解決手段】前記マルチウェイイヤホンは、内部に収容空間を有するハウジングと、前記ハウジングの収容空間に収容され、電気信号を音響に変換して出力する第１音響部と、前記第１音響部から縦方向に配置され、前記第１音響部が出力する音響とは異なる帯域の音響を出力する第２音響部と、を含み、前記ハウジングは、前記第１音響部から出力された音響が前記ハウジングの内周面に沿って外部に伝達されるための第１移動通路を形成し、前記第２音響部は、前記第２音響部から出力された音響が前記第１移動通路を通過する音響と別途に分離されて出力されるための第２移動通路を形成するユニットキャップと、を含む。【選択図】図１
2017528964.tif 000002
【特許請求の範囲】
【請求項１】
内部に収容空間を有するハウジングと、
前記ハウジングの収容空間に収容され、電気信号を音響に変換して出力する第１音響部と、
前記第１音響部から縦方向に配置され、前記第１音響部が出力する音響とは異なる帯域の音響を出力する第２音響部と、を含み、
前記ハウジングは、前記第１音響部から出力された音響が前記ハウジングの内周面に沿って外部に伝達されるための第１移動通路を形成し、
前記第２音響部は、
前記第２音響部から出力された音響が前記第１移動通路を通過する音響と別途に分離されて出力されるための第２移動通路を形成するユニットキャップと、を含み、
前記第１音響部および第２音響部は、いずれもダイナミックドライバから構成され、
前記ハウジングは、
前記第１音響部の上側の一部を収容する上部ボディと、
前記第１音響部の下側で前記第１音響部を支持する下部ボディと、を含み、
前記下部ボディは、内周面の周りに沿って段付が形成され、前記第１音響部は、前記段付に載置され、前記第１移動通路は、前記下部ボディの内周面と前記第２音響部の外周面との間の間隔によって形成され、前記下部ボディの内周面には、前記第２音響部を固定するように突出した複数の固定部材が形成され、前記複数の固定部材の間に形成された空間が前記第１移動通路の一部を構成するように前記複数の固定部材は相互離隔していることを特徴とするマルチウェイイヤホン。
【請求項２】
前記第１音響部は、中低音域帯または高音域帯の音響を出力することを特徴とする請求項１に記載のマルチウェイイヤホン。
【発明の詳細な説明】
【技術分野】
【０００１】
本発明は、マルチウェイイヤホンに関する。
【背景技術】
【０００２】
一般的に、イヤホンは、使用者の耳に着用できるように作製された小型の音響再生装置であって、ハウジングの内部に取り付けられたスピーカによって各周波数帯域毎の音響を出力する。
【０００３】
最近、イヤホン技術の急速な発展に伴い、ステレオ性能を向上させるために互いに異なる帯域の音響を出力するイヤホンが開発されており、大韓民国登録特許公報第１０−１１１６９８１号（以下、「従来技術」という）には、互いに異なる再生音帯域の音を発生させる同軸イヤホン技術が提示された。
【０００４】
ところが、従来技術のイヤホンは、一側から高音が出力されると同時に、他側から出力された低音と混合され、ハウジングの内部で混合された音響が外部に出力される構造であるため、より立体感のあるサウンドを聴取者に提供するための新たなイヤホン技術の開発が要求されるのが現状である。
【先行技術文献】
【特許文献】
【０００５】
【特許文献１】大韓民国登録特許公報第１０−１１１６９８１号
【発明の概要】
【発明が解決しようとする課題】
【０００６】
本発明は、上述の問題点を解決するためのものであって、従来のイヤホンに比べてステレオ性能が向上したイヤホンを提供することを目的とする。
【０００７】
本発明の目的は、前述の目的に制限されず、前述していない他の目的は下記の記載から当業者に明確に理解されるであろう。
【課題を解決するための手段】
【０００８】
このような目的を達成するために、本発明の一態様として、マルチウェイイヤホンは、内部に収容空間を有するハウジングと、前記ハウジングの収容空間に収容され、電気信号を音響に変換して出力する第１音響部と、前記第１音響部から縦方向に配置され、前記第１音響部が出力する音響とは異なる帯域の音響を出力する第２音響部と、を含み、前記ハウジングは、前記第１音響部から出力された音響が前記ハウジングの内周面に沿って外部に伝達されるための第１移動通路を形成し、前記第２音響部は、前記第２音響部から出力された音響が前記第１移動通路を通過する音響と別途に分離されて出力されるための第２移動通路を形成するユニットキャップと、を含むとよい。
【０００９】
また、ハウジングは、前記第１音響部の上側の一部を収容する上部ボディと、前記第１音響部の下側で前記第１音響部を支持する下部ボディと、を含み、前記下部ボディは、内周面の周りに沿って段付が形成され、前記第１音響部は、前記段付に載置されるとよい。
【００１０】
そして、第１移動通路は、前記下部ボディの内周面と前記第２音響部の外周面との間の間隔によって形成されるとよい。
【００１１】
同時に、下部ボディの内周面には、前記第２音響部を固定するように突出した複数の固定部材が形成され、前記複数の固定部材の間に形成された空間が前記第１移動通路の一部を構成するように前記複数の固定部材は相互離隔するとよい。
【００１２】
一方、第１音響部は、中低音域帯または高音域帯の音響を出力するように設けられるとよい。
【発明の効果】
【００１３】
以上で説明したように、本発明によれば、ハウジングの下部ボディ内に形成された第１移動通路および第２移動通路を介して互いに異なる音域帯を有する音響が最大限独立して分離され、聴取者の耳の中に出力されることが可能であるため、ステレオ性能が向上し、聴取者に立体感のあるサウンドを提供する効果がある。
【００１４】
本発明の効果は、以上に言及した効果に制限されず、言及されていない他の効果は請求の範囲の記載から当業者に明確に理解されるであろう。
【図面の簡単な説明】
【００１５】
【図１】本発明の好ましい実施形態に係るマルチウェイイヤホンの側面図である。
【図２】本発明の好ましい実施形態に係るマルチウェイイヤホンの分解斜視図である。
【図３】本発明の好ましい実施形態に係るマルチウェイイヤホンの斜視図である。
【図４】図３のＢ−Ｂ’断面図である。
【図５】図３のＡ−Ａ’断面斜視図である。
【図６】本発明の好ましい実施形態に係る下部ボディ、イヤチップおよび第２音響部の結合状態を概略的に示すものである。
【発明を実施するための形態】
【００１６】
本発明の好ましい実施形態について、添付した図面を参照してより具体的に説明するが、すでに周知の技術的部分については、説明の簡潔さのために省略または圧縮することとする。
【００１７】
本発明に係るマルチウェイイヤホン１０は、ハウジング１００と、第１音響部２００と、第２音響部３００と、結合リング４００と、イヤチップ５００と、ケーブル６００と、を含んで構成されるとよく、これについて、図１〜図６を参照して説明する。
【００１８】
ハウジング１００は、内部にマルチウェイイヤホン１０を構成する各部品を収容するための収容空間を有し、上部ボディ１１０と、下部ボディ１２０と、を含んで構成されるとよい。上部ボディ１１０は、第１音響部２００の上側の一部を収容し、上部ボディ１１０の一側には、上部ボディ１１０の内部にケーブル６００が引き込まれるようにケーブル接続孔（図示せず）が形成される。
【００１９】
下部ボディ１２０は、上部ボディ１１０の下側に位置し、第１音響部２００の下側で第１音響部２００を支持する。すなわち、下部ボディ１２０は、内周面の周りに沿って段付１２１が形成され、第１音響部２００の一側には段付１２１に相応する段差２１０が形成されるので、第１音響部２００は、段付１２１に載置されて固定されるとよい。
【００２０】
また、下部ボディ１２０の内周面には、第２音響部３００を固定するように突出した複数の固定部材１２２、１２３、１２４が形成される。この時、突出した複数の固定部材１２２、１２３、１２４は、下部ボディ１２０の内周面の周りに沿って相互離隔することにより、複数の固定部材１２２、１２３、１２４の間に一定の空間を形成する。
【００２１】
すなわち、複数の固定部材１２２、１２３、１２４の間に形成された空間は、第１音響部２００から出力された音が移動する第１移動通路１３０の一部を構成し、詳細な内容は後述する。
【００２２】
一方、上部ボディ１１０および下部ボディ１２０の間には、各ボディ間の結合のために結合リング４００が位置し、一実施形態における上部ボディ１１０および下部ボディ１２０は、結合リング４００と接着結合されるとよい。
【００２３】
第１音響部２００は、下部ボディ１２０の段付１２１に載置されて下部ボディ１２０内に収容され、電気信号を音響に変換して出力する音響装置である。
【００２４】
第１音響部２００は、実施によっては、中低音域帯または高音域帯の音響を出力することができ、一実施形態において、第１音響部２００が中低音域帯の音響を出力する場合には、高音域帯の音響を出力する第２音響部３００の直径に比べて相対的に大きな直径を有することが、出力効率の面で好ましい。
【００２５】
第２音響部３００は、第１音響部２００から縦方向に相互離隔して配置され、第１音響部２００が出力する音響とは異なる帯域の音響を出力する。前述のように、第１音響部２００が中低音域帯の音響を出力する場合には、第２音響部３００は、高音域帯の音響を出力する。そして、一実施形態において、第１音響部２００および第２音響部３００は、ダイナミックドライバから構成されるとよい。
【００２６】
一方、ハウジング１００は、第１音響部２００から出力された音響がハウジング１００の内周面に沿って外部に伝達されるための第１移動通路１３０を形成し、一実施形態において、第１移動通路１３０は、下部ボディ１２０の内周面と第２音響部３００の外周面との間の間隔によって形成されるとよい。
【００２７】
本発明の好ましい実施形態に係る第１移動通路１３０および第２移動通路１４０は、下部ボディ１２０内で実現可能であり、本明細書上では、説明の便宜のために、図４に示されているように、第１音響部２００から出力された音響が移動する空間を第１移動通路１３０、第２音響部３００から出力された音響が移動する空間を第２移動通路１４０と称する。
【００２８】
ここで、第２音響部３００は、一側にユニットキャップ３１０と結合されることにより、第２音響部３００から出力された音響が移動する空間を形成することができる。すなわち、第２音響部３００から出力される音響が第１移動通路１３０を通過する音響と別途に分離されて出力されるための第２移動通路１４０が、ユニットキャップ３１０によって形成され、ユニットキャップ３１０は、第２音響部３００から出力される音響を、下部ボディ１２０からイヤチップ５００の方向に伝達する。
【００２９】
一方、ユニットキャップ３１０の末端が音響排出口１５０から下部ボディ１２０の上側方向に離隔するようにユニットキャップ３１０の長さを調整することにより、音響排出口１５０を介して下部ボディ１２０の内部に異物が流入するのを防止するワイヤメッシュ（図示せず）が結合される空間を設けることができ、実施によっては、ユニットキャップ３１０の末端を音響排出口１５０まで延長形成させて、第２移動通路１４０を通過する音響が第１移動通路１３０を通過する音響と分離独立するように構成することも可能である。
【００３０】
イヤチップ５００は、使用者の楽な着用感のために、シリコン材質から構成されるとよいが、着用に無理のない材質であればいかなる種類でも構わない。
【００３１】
回路基板（図示せず）は、第１音響部２００の上部に位置するとよく、一側は第１音響部２００および第２音響部３００とそれぞれ並列に連結され、他側はケーブル６００に接続されて、音響出力に必要な電気信号および電源を供給する。
【００３２】
第１音響部２００および第２音響部３００から出力された音響が第１移動通路１３０および第２移動通路１４０に沿ってそれぞれ移動して外部に排出される過程を、以下、図４に基づいて説明する。
【００３３】
第１音響部２００から出力された中低音域帯の音響は、下部ボディ１２０の内周面と第２音響部３００の外周面との間に形成された空間（すなわち、第１移動通路１３０）に沿って下部ボディ１２０の下側方向に移動し、複数の固定部材１２２、１２３、１２４の間に形成された空間を通過して音響排出口１５０側に移動して外部に出力される。
【００３４】
一方、第１音響部２００から中低音域帯の音響が出力されると同時に、第２音響部３００から高音域帯の音響の出力が行われる。すなわち、高音域帯の音響は、第２音響部３００におけるユニットキャップ３１０内の第２移動通路１４０を通過して外部に移動することにより、中低音域帯の音響とは混合されず別途に分離され、音響排出口１５０側に移動して外部への出力が行われる。
【００３５】
したがって、本発明は、ハウジング１００の下部ボディ１２０内に形成された第１移動通路１３０およびユニットキャップ３１０によって形成された第２移動通路１４０を介して互いに異なる音域帯を有する音響が独立して分離されて出力されることが可能であるため、ステレオ性能が向上し、聴取者に立体感のあるサウンドを提供する効果がある。
【００３６】
上記で説明したように、本発明に関する具体的な説明は、添付した図面を参照した実施形態によって行われたが、上述の実施形態は本発明の好ましい例を挙げて説明したに過ぎないので、本発明が上記の実施形態に限ると理解されてはならず、本発明の権利範囲は、後述する請求の範囲およびその等価概念で理解されなければならない。
【符号の説明】
【００３７】
10  マルチウェイイヤホン
100  ハウジング
110  上部ボディ
120  下部ボディ
121  段付
122,123,124  固定部材
130  第１移動通路
140  第2移動通路
150  音響排出口
200  第１音響部
210  段差
310  ユニットキャップ
400  結合リング
500  イヤチップ
600  ケーブル
【図１】
2017528964.tif 000003
【図２】
2017528964.tif 000004
【図３】
2017528964.tif 000005
【図４】
2017528964.tif 000006
【図５】
2017528964.tif 000007
【図６】
2017528964.tif 000008
【国際調査報告】
2017528964.tif 000009
2017528964.tif 000010
2017528964.tif 000011
2017528964.tif 000012